(57)【要約】【課題】バイアル瓶等の被溶解薬剤容器と薬剤容器とを連通させる際に、被溶解薬剤容器の薬剤の漏れを防止することができる両頭針、及びこれを備えた薬剤容器を提供する。【解決手段】本発明に係る両頭針は、被溶解薬剤容器と薬剤容器とを連通させるための両頭針であって、第１針部と、前記第１針部の軸方向とは反対側に延びる少なくとも一つの第２針部と、前記第１針部を軸方向に貫通する第１通路と、前記第２針部を軸方向に貫通する第２通路と、前記第１通路と前記第２通路との間に配置され、当該第１通路と前記第２通路とを連通する連通路と、を備え、前記連通路は、前記第１通路から前記第２通路へ向かう前記被溶解薬剤容器中の薬剤の移動を阻害するように構成されている。【選択図】図４
2020074933.tif 000002
【特許請求の範囲】
【請求項１】
被溶解薬剤容器と薬剤容器とを連通させ薬剤を移動させるための両頭針であって、
第１針部と、
前記第１針部の軸方向とは反対側に延びる少なくとも一つの第２針部と、
前記第１針部を軸方向に貫通する第１通路と、
前記第２針部を軸方向に貫通する第２通路と、
前記第１通路と前記第２通路との間に配置され、当該第１通路と前記第２通路とを連通する連通路と、
を備え、
前記連通路は、前記第１通路から前記第２通路へ向かう前記被溶解薬剤容器中の薬剤の移動を阻害するように構成されている、両頭針。
【請求項２】
前記連通路は、前記第１通路及び前記第２通路の延びる方向と交差する方向に延びている、請求項１に記載の両頭針。
【請求項３】
前記連通路は、前記第１通路及び前記第２通路の延びる方向と直交する方向に延びている、請求項２に記載の両頭針。
【請求項４】
前記連通路の内壁面には、少なくとも一つの凹部が形成されている、請求項１から３のいずれかに記載の両頭針。
【請求項５】
前記連通路の内壁面には、少なくとも一つの凸部が形成されている、請求項１から４のいずれかに記載の両頭針。
【請求項６】
複数の前記第２針部が設けられている、請求項１から５のいずれかに記載の両頭針。
【請求項７】
前記第１針部には複数の前記第１通路が形成されており、当該各第１通路が、複数の前記第２針部の第２通路にそれぞれ連通している、請求項６に記載の両頭針を有する両頭針。
【請求項８】
前記第１針部の複数の第１通路と前記複数の第２針部の第２通路とを、それぞれ連通させる複数の前記連通路が形成されている、請求項７に記載の両頭針を有する両頭針。
【請求項９】
第１ゴム栓により塞がれた開口を有する被溶解薬剤容器を取り付け可能で、当該被溶解薬剤容器に収容された第１薬剤が供給される薬剤容器であって、
第２薬剤が収容され、第２ゴム栓により塞がれた開口部を有する容器本体と、
請求項１から８のいずれかに記載の両頭針と、
前記被溶解薬剤容器が当接可能な当接面を有し、前記第２ゴム栓に対して進退可能に支持されている、受容部材と、
を備え、
前記両頭針のうち、前記第１針部が、前記受容部材の前記当接面から突出し、前記第２針部が前記当接面とは反対側の面から突出するように構成されている、両頭針を有する薬剤容器。
【請求項１０】
前記容器本体は、前記第１薬剤と第２薬剤とを混合した混合液を排出可能な排出部を備えている、請求項９に記載の両頭針を有する薬剤容器。
【請求項１１】
前記両頭針及び受容部材は、前記容器本体から取り外し可能に構成されており、
前記容器本体の開口部から、前記第１薬剤と第２薬剤とを混合した混合液を排出可能となっている、請求項９に記載の薬剤容器。
【発明の詳細な説明】
【技術分野】
【０００１】
本発明は、ゴム栓により塞がれた開口を有する被溶解薬剤容器を取り付け可能で、当該薬剤容器に収容された第１薬剤を供給させる、両頭針及びその両頭針を有する薬剤容器に関する。
【背景技術】
【０００２】
特許文献１には、バイアル瓶のような薬剤容器内に封入された抗生剤などの薬剤を点滴投与するときの薬剤混合手段を具備する両頭針付き薬剤容器が開示されている。このような薬剤容器は、従来から様々なものが検討されているが、一般的には、ゴム栓によって閉じられ生理食塩水等の輸液薬剤が収容された容器本体と、両端がともに鋭利な針部材(両頭針)と、バイアル瓶を保持し両頭針を容器本体のゴム栓とバイアル瓶のゴム栓に垂直に穿刺する機構と、を備えている。
【０００３】
両頭針は、前記機構により軸方向に移動可能に支持されており、容器本体側に押し込まれると、両頭針の一端部がゴム栓に刺し込まれるようになっている。また、混合すべき薬剤はゴム栓によって閉じられたバイアル瓶に収容されており、このバイアル瓶のゴム栓を、薬剤容器の両頭針の他端部に刺し込みながら容器本体側に押し込むと、両頭針の両端が、薬剤容器の容器本体のゴム栓とバイアル瓶のゴム栓と、にそれぞれ刺し込まれ、容器本体とバイアル瓶が連通する。これにより、バイアル瓶の薬剤を薬剤容器に供給し、混合液を調製することができる。
【０００４】
その後、混合液は、カテーテルを介して患者に投与される。また、上記のように調製した混合液を直接患者に投与せず、他の輸液製剤に更に混合して患者に投与することも有り得る。この場合、混合液を他の輸液製剤が収容された容器に混注したり、他の輸液製剤容器につながったカテーテルラインに三方活栓を設け、当該三方活栓にカテーテル(側管)を介して混合液が収容された容器本体を接続して投与すること(所謂、ピギーバッグ法)等が採用される。
【先行技術文献】
【特許文献】
【０００５】
【特許文献１】特開平９−１８７４８８号公報（全文、全図）
【特許文献２】特開平６−２３９３５２号公報（段落００１３）
【特許文献３】国際公開第２０１１／０３０７８７（段落０００４）
【発明の概要】
【発明が解決しようとする課題】
【０００６】
しかしながら、上記両頭針には、特許文献２、３に記載されているような一般的な問題があった。すなわち、上下容器の下側容器（特許文献２であれば、バイアル２）のゴム栓に両頭針が刺し込まれる前に、上側容器（特許文献２であれば、溶解液容器１）のゴム栓に両頭針が刺し込まれると、両頭針の下側容器側の端部から上側容器の薬剤が漏れるおそれがあった。
【０００７】
本発明は、上記問題を解決するためになされたものであり、バイアル瓶等の被溶解薬剤容器と薬剤容器とを連通させる際に、被溶解薬剤容器の薬剤の漏れを防止することができる両頭針、及びこれを備えた薬剤容器を提供することを目的とする。
【課題を解決するための手段】
【０００８】
本発明に係る両頭針は、被溶解薬剤容器と薬剤容器とを連通させ薬剤を移動させるための両頭針であって、第１針部と、前記第１針部の軸方向とは反対側に延びる少なくとも一つの第２針部と、前記第１針部を軸方向に貫通する第１通路と、前記第２針部を軸方向に貫通する第２通路と、前記第１通路と前記第２通路との間に配置され、当該第１通路と前記第２通路とを連通する連通路と、を備え、前記連通路は、前記第１通路から前記第２通路へ向かう前記被溶解薬剤容器中の薬剤の移動を阻害するように構成されている。
【０００９】
この両頭針によれば、次の効果を得ることができる。まず、従来例では、薬剤容器に針部材が刺し込まれる前に、バイアル瓶等の被溶解薬剤容器に針部材が刺し込まれることがあると、薬剤が漏れるおそれがあった。
【００１０】
これに対して、本発明に係る両頭針は、第１針部が被溶解薬剤容器に刺し込まれ、これに遅れて第２針部が薬剤容器に刺し込まれた場合であっても、薬剤が漏れるのを防止することができる。これは、連通路により、第１針部の第１通路から第２針部の第２通路へ向かう被溶解薬剤容器中の薬剤の移動が阻害されることによる。したがって、第１針部が被溶解薬剤容器に先に刺し込まれたとしても、第２針部が薬剤容器に刺し込まれるまでの間に、薬剤が第２針部から外部に漏れるのを防止することができる。
【００１１】
なお、「薬剤の移動を阻害する」とは、例えば、連通路内に薬剤を留めたり、あるいは第２通路へ向かう薬剤の移動を連通路において遅くすることをいうが、第１通路と第２通路とは連通路を介して連通しているため、薬剤が第１通路から第２通路へ移動することは許容される。したがって、薬剤が移動すること自体を阻害するものではない。
【００１２】
上記両頭針において、前記連通路は、前記第１通路及び前記第２通路の延びる方向と交差する方向に延ばすことができる。
【００１３】
これにより、例えば、第１通路から第２通路へ移動する薬剤を、連通路に留めておくことができる。したがって、上記のような薬剤の漏れを防止することができる。
【００１４】
上記両頭針において、前記連通路は、前記第１通路及び前記第２通路の延びる方向と直交する方向に延ばすことができる。
【００１５】
これにより、例えば、第１通路から第２通路へ移動する薬剤を、薬剤を連通路に、より留めておくことができる。したがって、上記のような薬剤の漏れを防止することができる。
【００１６】
上記両頭針において、前記連通路の内壁面には、少なくとも一つの凹部を形成することができる。
【００１７】
これにより、薬剤を凹部内に保持できるため、薬剤を連通路に、より留めておくことができる。したがって、上記のような薬剤の漏れを防止することができる。
【００１８】
上記両頭針において、前記連通路の内壁面には、少なくとも一つの凸部を形成することができる。
【００１９】
これにより、薬剤の移動を凸部によって阻害できるため、薬剤を連通路に、より留めておくことができる。したがって、上記のような薬剤の漏れを防止することができる。
【００２０】
上記両頭針においては、複数の前記第２針部を設けることができる。
【００２１】
これにより、第１針部から流入する薬剤が、分散して複数の第２針部に移動するため、連通路において、薬剤をより留めやすくなり、複数の第２針部からの薬剤の漏れをより防止することができる。
【００２２】
上記両頭針において、前記第１針部には複数の前記第１通路が形成されており、当該各第１通路が、複数の前記第２針部の第２通路にそれぞれ連通しているものとすることができる。
【００２３】
このように、複数の第１通路と複数の第２通路とが連通するように構成されると、第１針部と第２針部とを貫通する複数の通路が形成される。そのため、例えば、一方の通路を薬剤の移動用とし、他方の通路を空気の移動用とすることができ、これによって、液状の薬剤を、第１針部と第２針部との間でスムーズに流通させることができる。
【００２４】
上記両頭針においては、前記第１針部の複数の第１通路と前記複数の第２針部の第２通路とを、それぞれ連通させる複数の前記連通路を形成することができる。
【００２５】
これにより、第１針部と第２針部との間に、第１通路、連通路、及び第２通路からなる流路を複数形成することができる。そのため、第１針部と第２針部との間で、薬液の流路と空気の流路を形成することができ、よりスムーズな薬液の移動を行うことができる。
【００２６】
本発明は、第１ゴム栓により塞がれた開口を有する被溶解薬剤容器を取り付け可能で、当該被溶解薬剤容器に収容された第１薬剤が供給される薬剤容器であって、第２薬剤が収容され、第２ゴム栓により塞がれた開口部を有する容器本体と、上述したいずれかの両頭針と、前記被溶解薬剤容器が当接可能な当接面を有し、前記第２ゴム栓に対して進退可能に支持されている、受容部材と、を備え、前記両頭針のうち、前記第１針部が、前記受容部材の前記当接面から突出し、前記第２針部が前記当接面とは反対側の面から突出するように構成されている。
【００２７】
この構成によれば、上記両頭針を有するとともに、第２薬剤が収容された容器本体を有するため、被溶解薬剤容器を準備するだけで、第１薬剤と第２薬剤との混合を薬剤漏れすることなく容易に行うことができる。特に、被溶解薬剤容器を受ける受容部材に両頭針が取り付けられているため、被溶解薬剤容器を押し込む力を両頭針に確実に伝達することができる。そのため、被溶解薬剤容器と容器本体との連通を容易に行うことができる。
【００２８】
上記薬剤容器において、前記容器本体は、前記第１薬剤と第２薬剤とを混合した混合液を排出可能な排出部を備えることができる。
【００２９】
これにより、混合された第１及び第２薬剤を、例えば、患者に容器に供給することができる。
【００３０】
上記のように、混合液は排出部から排出することもできるが、排出部を設けなくてもよい。すなわち、上記薬剤容器において、前記両頭針及び受容部材は、前記容器本体から取り外し可能に構成することができ、前記容器本体の開口部から、前記第１薬剤と第２薬剤とを混合した混合液を排出可能とすることができる。
【００３１】
これにより、容器本体から両頭針及び受容部材を取り外した後、容器本体の第２ゴム栓により塞がれた開口部から混合液を排出することができる。
【発明の効果】
【００３２】
本発明によれば、バイアル瓶等の被溶解薬剤容器と薬剤容器とを連通させる際に、被溶解薬剤容器の薬剤の漏れを防止することができる。
【図面の簡単な説明】
【００３３】
【図１】本発明の一実施形態に係る被溶解薬剤容器の正面図である。
【図２】図１の被溶解薬剤容器を上方から見た斜視図である。
【図３】本発明に係る薬剤容器の一実施形態に係る正面図である。
【図４】混注機構を示すための図３の薬剤容器の断面図である。
【図５】薬剤容器の使用方法を示す断面図である。
【図６】薬剤容器の使用方法を示す断面図である。
【図７】薬剤容器の使用方法を示す断面図である。
【図８】混注部材の他の例を示す断面図である。
【図９】混注部材の他の例を示す断面図である。
【図１０】混注部材の他の例を示す断面図である。
【図１１】混注部材の他の例を示す断面図である。
【図１２】薬剤容器の他の例を示す正面図である。
【発明を実施するための形態】
【００３４】
以下、本発明に係る薬剤容器の一実施形態について図面を参照しつつ説明する。この薬剤容器は、第１薬剤が収容された被溶解薬剤容器としてバイアル瓶が取り付けられ、第１薬剤を流入させるものである。そして、流入された第１薬剤は、薬剤容器内に収容された第２薬剤と混合され、患者に投与する混合液が調製される。以下では、バイアル瓶、薬剤容器の順に説明し、その後、これらの使用方法について説明する。
【００３５】
＜１．バイアル瓶の概要＞
図１はバイアル瓶の正面図、図２はバイアル瓶を図１の上側から見た斜視図である。図１に示すように、バイアル瓶１は、下部が底面によって閉じられた円筒状の本体部１１と、本体部１１の上端部から斜め上方に円錐状に延びる肩部１２と、肩部１２から上方に延び、本体部１１よりも径の小さい円筒状の首部１３と、首部１３に連結され，上部に開口を有する円柱状の頭部とを備えており、これらはガラス、樹脂材料などで一体的に形成されている。図２に示すように、頭部の上部開口には、ゴム栓１４がはめ込まれており、さらにゴム栓１４を覆うようなアルミ等のキャップ１５が頭部に取り付けられている。また、これら本体部１１、肩部１２、首部１３、及び頭部によって囲まれた内部空間に第１薬剤が収容されている。第１薬剤は、特には限定されないが、例えば、抗生剤、抗がん剤等の薬剤、及びビタミン剤などとすることができ、液体、固体のいずれであってもよい。但し、本実施形態では、固体の薬剤が収容されているとして説明を行う。そして、この第１薬剤は、後述するように、ゴム栓１４に刺し込まれた薬剤容器１００の針部材５３を介して、薬剤容器１００の容器本体２１内に供給されるようになっている。
【００３６】
＜２．薬剤容器の概要＞
次に、図３及び図４を参照しつつ、薬剤容器について説明する。図３は薬剤容器の正面図である。図４は図３の薬剤容器を構成する混注部材３及び容器本体２の断面図であり、混注機構を示すためのものである。
【００３７】
図３及び図４に示すように、この薬剤容器１００は、上部に開口を有する容器本体２と、この容器本体２の上部開口に取り付けられた混注部材３と、を備えている。容器本体２は、下部が底面によって閉じられた水平断面が楕円状の本体部２１と、本体部２１の上端部から斜め上方に円錐状に延びる肩部２２と、肩部２２から上方に延び、本体部２１よりも径の小さい円筒状の首部２３と、首部２３に連結され，上部に開口を有する円柱状の頭部とを備えており、これらは樹脂材料などで一体的に形成されている。そして、図３に示すように、頭部の上部開口には、ゴム栓２４がはめ込まれており、該ゴム栓の天面を露出させるように樹脂で作製されたキャップ２５が取り付けられている。また、容器本体２の内部空間に第２薬剤が収容されている。第２薬剤は、特には限定されないが、例えば、生理食塩水、ブドウ糖液、リンゲル液等の輸液とすることができ、バイアル瓶１内の固体又は液体の薬剤を溶解する。一方、容器本体２の下部には、ゴム栓で塞がれた排出部２６が形成されており、後述するように、混合液を排出することができる。
【００３８】
次に、混注部材３について説明する。混注部材３は、バイアル瓶１の第１薬剤を薬剤容器１００の容器本体２内に供給するための機構である。
【００３９】
図４に示すように、混注部材３は、容器本体２のキャップ２５に取り付けられる円筒状の支持部材４と、この支持部材４の内部に取付けられる受容部材５と、この受容部材５に形成されている針部材５３（両頭針）と、を備えている。
【００４０】
まず、支持部材４について説明する。支持部材４の下端は、容器本体２のキャップ２５に固定され、キャップ２５を囲むように上方に延びている。
【００４１】
次に、受容部材５について説明する。受容部材５は、円筒状の本体部５１と、この本体部５１の軸方向の中央付近で本体部５１の内部を上下に仕切る円板状の仕切り部５２と、を備え、この仕切り部５２上に上述した針部材５３が形成されている。そして、これら本体部５１、仕切り部５２、及び針部材５３は一体的に形成されている。また、本体部５１は、仕切り部５２によって上部空間５０１と下部空間５０２とに仕切られている。
【００４２】
本体部５１は、支持部材４に収容され、支持部材４内で上下方向にスライド可能に支持されている。そのため、本体部５１の外径は、支持部材４の内径とほぼ同じである。また、本体部５１の内径は、バイアル瓶１の蓋部１５の外径とほぼ同じであり、上部空間５０１にはバイアル瓶１のキャップ１５が収容されるようになっている。
【００４３】
また、本体部５１は、図示を省略するストッパにより、支持部材４内での上方への移動が規制されている。すなわち、本体部５１は、支持部材４内での初期位置から下方への移動は可能となっているが、ストッパにより初期位置よりも上方へは移動できないようになっている。
【００４４】
針部材５３は、棒状に形成され、仕切り部５２から上部空間５０１側へ上方に突出する第１針部５３１と、仕切り部５２から下部空間５０２側へ下方に突出する２個の第２針部５３２と、を有している。第１針部５３１は、仕切り部５２の中心から突出し、２個の第２針部５３２は、仕切り部５２の中心を挟んで同距離だけ離れた位置から突出している。また、第１針部５３１には、上下方向に第１針部５３１を貫通する２個の第１通路５３５が平行に延びるように形成されている。各第２針部５３２には、それぞれ１個の第２通路５３６が形成されている。
【００４５】
また、仕切り部５２の内部には、各第１通路５３５と各第２通路５３６とをそれぞれ連通させる２個の連通路５３７が形成されている。各連通路５３７は、各第１通路５３５の基端部、つまり仕切り部５２との連結部分から径方向外方に互いに反対方向に延びており、各第２通路５３６の基端部、つまり仕切り部５２との連結部分に連結されている。すなわち、第１通路５３５と連通路５３７、及び連通路５３７と第２通路５３６とはそれぞれ直交するように連結されている。
【００４６】
なお、針部材５３及び受容部材５は、一体的に形成されているが、例えば、ポリエチレン、ポリプロピレン、ＡＢＳ樹脂等により形成することができる。また、これらの製造方法は特には限定されないが、例えば、射出成形により形成することができる。
【００４７】
＜３．薬剤容器の使用方法＞
次に、薬剤容器１００の使用方法について、図５〜図７を参照しつつ説明する。図５〜図７は、使用時の混注部における薬剤容器と被溶解薬剤容器の断面図である。まず、バイアル瓶１のゴム栓１４を第１針部５３１に押しつけ、受容部材５を容器本体２側に移動させる。これにより、図５に示すように、第２針部５３２が薬剤容器１００のゴム栓２４に刺し込まれる。この状態からバイアル瓶１をさらに押し込むと、図６に示すように、第１針部５３１がバイアル瓶１のゴム栓１４に刺し込まれる。こうして、バイアル瓶１と容器本体２とが連通する。続いて、バイアル瓶１と薬剤容器１００とを一体化させた状態で、上下の反転を繰り返す。すなわち、容器本体２の第２薬剤をバイアル瓶１に移動して第１薬剤を溶解し、溶解した薬剤を容器本体２に移動する。この操作を繰り返すことで、混合液が調製される。
【００４８】
以上のように針部５３及び受容部材５が動作すれば、第１薬剤は漏れることなく、容器本体２内に供給することができる。しかしながら、次に説明するように、第１針部５３１が、先にバイアル瓶１のゴム栓１４に刺し込まれることも考えられる。この場合、本実施形態に係る薬剤容器１００は次のように動作する。この点について、図７を参照しつつ説明する。
【００４９】
バイアル瓶１のゴム栓１４を第１針部５３１に押しつけたとき、図７に示すように、第２針部５３２が容器本体２のゴム栓２４に刺し込まれる前に、第１針部５３１がゴム栓１４に刺し込まれることがある。但し、この場合でも、後述するように、第１薬剤はすぐには第２針部５３２から排出されず、連通路５３７に留まる。そして、バイアル瓶１をさらに押し込むと、図６に示すように、バイアル瓶１のキャップ１５が仕切り部５２に当接するとともに、第２針部５３２が容器本体２のゴム栓２４に刺し込まれ、バイアル瓶１と容器本体２とが連通する。続いて、バイアル瓶１と薬剤容器１００とを一体化させた状態で、上下の反転を繰り返す。すなわち、容器本体２の第２薬剤をバイアル瓶１に移動して第１薬剤を溶解し、溶解した薬剤を容器本体２に移動する。この操作を繰り返すことで、混合液が調製される。
【００５０】
そして、他の薬剤を混合する場合には、バイアル瓶１を薬剤容器１００から引き抜く。このとき、針部材５３の第１針部５３１はバイアル瓶１のゴム栓１４に刺し込まれているため、バイアル瓶１とともに上方に移動する。これに伴い、容器本体２のゴム栓２４に刺し込まれていた第２針部５３２は、ゴム栓２４から引き抜かれる。そして、ストッパにより受容部材５の移動が停止し、この状態からバイアル瓶１をさらに引っ張ると、第１針部５３１がゴム栓１４から引き抜かれる。なお、第２針部５３２が引き抜かれた容器本体２のゴム栓２４、及び第１針部５３１が引き抜かれたバイアル瓶１のゴム栓１４は、ともにゴムの弾性力によって、各針部５３１，５３２によって引き裂かれた部分が閉じるようになっている。
【００５１】
これに続いて、上述したのと同様の方法で、新たな薬剤容器を薬剤容器１００に取付け、それに収容されている第１薬剤と容器本体２の第２薬剤とを混合する。こうして、全ての薬剤が混合されると、混合液が調製される。その後、薬剤容器１００を点滴スタンドなどに吊り下げ、排出部２６のゴム栓にカテーテルの針部材を刺し込み、混合液を患者に投与することもできる。また、調製した混合液を直接患者に投与せず、他の輸液製剤に更に混合して患者に投与することもできる。この場合、混合液を他の輸液製剤が収容された容器に混注したり、他の輸液製剤容器につながったカテーテルラインに三方活栓を設け、当該三方活栓にカテーテル(側管)を介して混合液が収容された容器本体を接続して投与すること(所謂、ピギーバッグ法)等が採用される。
【００５２】
＜４．特徴＞
以上のように、本実施形態によれば、以下の効果を得ることができる。従来例では、薬剤容器１００のゴム栓２４に針部材５３が刺し込まれる前に、バイアル瓶１のゴム栓１４に針部材５３が刺し込まれることがあると、薬剤が漏れるおそれがあった。
【００５３】
一方、本実施形態では、第１針部５３１がバイアル瓶１のゴム栓１４に刺し込まれ、これに遅れて第２針部５３２が薬剤容器１００のゴム栓２４に刺し込まれた場合であっても、第１薬剤が漏れるのを防止でき、容器本体２に供給することができる。これは、連通路５３７が、第１通路５３５及び第２通路５３６と直交するように延びているため、第１薬剤が第１通路５３５から第２通路５３６へ流れ込む前に、連通路５３７に留まらせることができるからである。したがって、第１針部５３１がゴム栓１４に先に刺し込まれたとしても、第２針部５３２がゴム栓２４に刺し込まれるまでの間に、第１薬剤が第２針部５３２から外部に漏れるのを防止することができる。
【００５４】
＜５．変形例＞
以上、本発明の一実施形態について説明したが、本発明は上記実施形態に限定されるものではなく、その趣旨を逸脱しない限りにおいて、種々の変更が可能である。例えば、以下の変更が可能であるが、以下の変形例は、適宜組み合わせることができる。
【００５５】
＜５−１＞
上記実施形態では、２個の第２針部５３２を設けているが、第２針部５３２の数は、特には限定されない。したがって、第２針部５３２を１個または３個以上設けることもできる。また、第２針部５３２を設ける位置も特には限定されないが、複数設ける場合には、仕切り部の中心が重心となるように等間隔に設けることが好ましい。
【００５６】
＜５−２＞
上記実施形態では、第１通路５３５、第２通路５３６、及び連通路５３７をそれぞれ２個ずつ設けて連通させているが、これに限定されない。例えば、図８に示すように、第１通路５３５を一つ形成し、その基端部に２個の連通路５３７を連結することもできる。あるいは、図９に示すように、第１通路５３５を１つ設け、径方向に延びる円形、矩形または異形状等の連通路５３７を１つ設け、この連通路５３７から第２通路５３６がそれぞれ延びるようにすることもできる。すなわち、第１通路５３５、第２通路５３６、及び連通路５３７の数も特には限定されない。
【００５７】
＜５−３＞
連通路５３７は、第１通路５３５及び第２通路５３６にそれぞれ直交するように連結されているが、直交以外でもよく、少なくとも所定の角度で交差していればよい。これによっても、第１薬剤を連通路５３７に留まらせることができ、その結果、第１薬剤が第１通路５３５から第２通路５３６へ移動する時間を遅らせることができる。特に、図１０に示すように、第２通路５３６と連通路５３７との連結部が、第１通路５３５と連通路５３７との連結部よりも第１針部５３１側に配置されていれば、薬剤を連通路５３７により留まらせることができ、第１薬剤の漏れを防止することができる。また、図１１に示すように、連通路５３７の内壁面に少なくとも一つの凹部５３８を形成することもできる。これにより、第１薬剤が、連通路５３７を通過中に凹部５３８に入り込めば、第１薬剤を連通路５３７に留まらせることができる。その結果、第１薬剤が第１通路５３５から第２通路５３６へ移動する時間をさらに遅らせることができ、第１薬剤の漏れを確実に防止することができる。
【００５８】
その他、連通路の構成は、第１通路から第２通路への第１薬剤の移動を阻害できるものであれば、特には限定されない。したがって、例えば、連通路の内壁面に少なくとも一つの凸部を形成したり、連通路の径を小さくして薬剤を通りにくくしたり、連通路を複数箇所で屈曲させたり、曲線状に形成することなど、種々の態様が可能である。また、これら第１薬剤の移動を阻害するための手段は、２つ以上を適宜組み合わせることができる。
【００５９】
＜５−４＞
上記実施形態では、受容部材５をスライド可能に支持する支持部材４を設けているが、受容部材５は針部材５３とともに、移動可能に支持されていれば、その支持機構は特には限定されない。また、受容部材５の構成も特には限定されないが、取り付けられたバイアル瓶１が容易に抜けないように、本体部５１の内壁面に抜け止め用の突起を形成し、キャップ１５に係合させるようにしてもよい。また、このような突起を本体部５１に設けず、本体部５１とは別に、本体部５１よりも内側にキャップ１５を収容する円筒状の部材を仕切り部５２に設け、これに突起を設けることもできる。この場合、バイアル瓶１のキャップ１５の径は、本体部５１よりも小さいものとなる。また、本体部５１において、仕切り部５２よりも上方には、軸方向に延びるスリット（図示省略）を複数形成することができる。これらスリットによる効果で本体部５１の径が大きくなる(開く)ことにより、本体部５１よりもバイアル瓶１のキャップ１５の径がわずかに大きい場合でも本体部５１にバイアル瓶１を挿入することができる。
【００６０】
＜５−５＞
混注部材３の形状は一例であり、例えば、支持部材４、受容部材５の水平断面形状が円形以外の形状であってもよく、適宜変更することができる。
【００６１】
＜５−６＞
薬剤容器１００の容器本体２の形状は特には限定されない。また、排出部２６は必ずしも設けなくてもよい。この場合、例えば、図１２に示すように、混注部材３を容器本体２から取り外す。すなわち、支持部材４、受容部材５、針部材５３を取り外し、キャップ２５を露出させる。そして、容器本体２の上部開口のゴム栓２４にカテーテルの針部材を刺し込めば、混合液を患者に投与することができる。また、薬剤容器１００には、輸液以外の第１薬剤を収容することもでき、薬剤の種類は特には限定されない。
【００６２】
＜５−７＞
上記実施形態では、本発明の被溶解薬剤容器としてバイアル瓶の説明を行ったが、バイアル瓶以外の、例えば被溶解薬剤である第１薬剤を収容した樹脂製の容器なども被溶解薬剤容器として利用することができる。
【００６３】
＜５−８＞
上記実施形態では、薬剤容器２の受容部材５に両頭針５３を取り付けた例を示したが、これに限定されない。すなわち、本発明に係る両頭針は、上記のような受容部材に限られず、薬剤容器と被溶解薬剤容器とを連通させるためであれば、単独でも用いることができるし、他の部材と組み合わせて用いることができる。
【符号の説明】
【００６４】
１  バイアル瓶（被溶解薬剤容器）
１４  ゴム栓（第１ゴム栓）
１００  薬剤容器
２  容器本体
２４  ゴム栓（第２ゴム栓）
２６  排出部
５  受容部材
５２  仕切り部（上側の面が当接面を構成する）
５３  針部材（両頭針）
５３１  第１針部
５３２  第２針部
５３５  第１通路
５３６  第２通路
５３７  連通路
５３８  凹部
【図１】
2020074933.tif 000003
【図２】
2020074933.tif 000004
【図３】
2020074933.tif 000005
【図４】
2020074933.tif 000006
【図５】
2020074933.tif 000007
【図６】
2020074933.tif 000008
【図７】
2020074933.tif 000009
【図８】
2020074933.tif 000010
【図９】
2020074933.tif 000011
【図１０】
2020074933.tif 000012
【図１１】
2020074933.tif 000013
【図１２】
2020074933.tif 000014